(57)【要約】      （修正有） 【課題】刃体を弾き出せ、刃体が容易に刃体収納槽から離脱されない固定構造を具有する二枚刃式鋸刃を提供する。【解決手段】二枚刃式鋸刃は、鋸刃ケース１０と鋸刃組２０と弾性片と鋸刃スイッチ組４０とを含み、該鋸刃ケース１０に該鋸刃組２０を収納する刃体収納槽を具有し、該刃体収納槽の底部に該弾性片が装着され、該鋸刃ケース１０に該鋸刃スイッチ組４０が対称に装着され、該弾性片により該鋸刃組２０を該刃体収納槽から弾き出されるように押し動かし、該鋸刃スイッチ組４０が該鋸刃組２０の転動を制限する。【選択図】図１
0003214060.tif 000002
【実用新案登録請求の範囲】
【請求項１】
鋸刃ケースと鋸刃組と弾性片と鋸刃スイッチ組とを含み、
該鋸刃ケースの両端にそれぞれに枢動端と引掛け端が設けられ、該枢動端の一側から枢接孔が貫通され、該枢動端に該枢接孔と隣接した箇所に固定孔が貫設され、該鋸刃ケースにさらに刃体収納槽を具有し、該固定孔と該枢接孔とを連通し、該刃体収納槽が該枢動端から該引掛け端へ延伸し、
該鋸刃組が第一鋸刃と第二鋸刃とを含み、該第一鋸刃及び該第二鋸刃の刃体にそれぞれに接着孔が貫通され、該第一鋸刃及び該第二鋸刃の該接着孔と該枢接孔を枢動組により挿着し、該枢動組を軸心として枢動され、該第一鋸刃と該第二鋸刃が所定の間隔で該刃体収納槽の内に並列され、該第一鋸刃及び該第二鋸刃の一端に、該枢動端の近くにそれぞれに第一凹槽と第二凹槽を具有し、
該弾性片が該枢動端と該引掛け端との間に位置され、貼り付け端を有し、その一端に弾性端が延びられ、該貼り付け端が該刃体収納槽の底部に装着され、該第一鋸刃及び該第二鋸刃の刃体が該弾性端に当接し、該弾性端が、該第一鋸刃又は該第二鋸刃の刃体を該刃体収納槽から弾き出されるように押し動かし、
該鋸刃スイッチ組が少なくとも１つの棒状部材と固定部材とを含み、該固定部材が該固定孔の間に設けられ、該少なくとも１つの棒状部材が該固定部材を固着し、該固定孔が基部開口と突接部開口を有し、該固定部材が基部と突接部を有し、該第一鋸刃及び該第二鋸刃が該刃体収納槽に収納されると、該基部が該基部開口を挿設し、該突接部が該突接部開口を挿設して該第一鋸刃及び該第二鋸刃の該第一凹槽に当接し、該第一鋸刃と該第二鋸刃の枢動を制限し、該少なくとも１つの棒状部材が該固定孔から軸方向へ変位され、該基部及び該突接部を該固定孔から軸方向への変位を連動し、該第一鋸刃又は該第二鋸刃の該第一凹槽が該突接部での制限から離脱させ、該第一鋸刃又は該第二鋸刃が該枢動組を軸心として該引掛け端から該枢動端へ枢動させ、該第一鋸刃又は該第二鋸刃の該第二凹槽が該突接部に当接することを特徴とする二枚刃式鋸刃。
【請求項２】
該鋸刃ケースの該刃体収納槽の内壁に、該固定孔の周囲から第一突出部が凸設され、該第一鋸刃及び該第二鋸刃の刃体に当接し、該鋸刃ケースの該刃体収納槽の内壁に、該枢接孔の周囲から第二突出部が凸設され、該第一鋸刃及び該第二鋸刃の刃体に当接することを特徴とする請求項１に記載の二枚刃式鋸刃。
【請求項３】
該枢動組が枢動ロッドを有し、該鋸刃ケースの一側にある該枢接孔と、該第二鋸刃の該接着孔と、該第一鋸刃の該接着孔と、該鋸刃ケースの他の一側にある該枢接孔とを挿設し、キャップにより締着されることを特徴とする請求項２に記載の二枚刃式鋸刃。 
【考案の詳細な説明】
【技術分野】
【０００１】
本考案は刃具の技術領域に関し、特にもっと便利に使用される手動の二枚刃式鋸刃に関する。
【背景技術】
【０００２】
公知の従来の鋸刃の構造について、結合ケースにより少なくとも１つの刃体を挟着し、結合ケースの任意の一端に枢動用の構造を有し、普通にはネジ棒がネジ穴に結合するものであり、結合ケースの一側に刃体を収納する刃体収納槽が凹設され、該刃体がネジ棒を軸心として枢動され、普通には刃体の回転を制限する制限構造を有するが、このような構成が主にネジ棒と該刃体との接合を利用するものであり、ネジ穴、棒穴、又は刃体の棒穴が摩損されると正常的に枢動することができず、刃体が刃体収納槽の外に露出され、注意しないと意外が容易に発生する。
【０００３】
鋸刃を使用する場合、刃体の刃背を掴み、勢いに乗って刃体を該刃体収納槽から離脱されるように引き出すが、従来の鋸刃の構造において、該刃体収納槽のトップ側が刃背と平行し、刃体収納槽の幅が十分でないと、刃背を掴むことが容易ではなく、使用に邪魔になる。
【０００４】
上記により、公知の鋸刃の構造が下記の欠点を有し、
１．枢動用構造の摩損のため、刃体が刃体収納槽から離脱され、危険が容易に発生し、
２.該刃体収納槽のトップ側が刃背と平行する又は刃背の位置が刃体収納槽のトップ側より高い、刃体収納槽の幅が十分でないと、刃背を掴むことが容易ではなく、使用に邪魔になる。
【０００５】
上記の点に鑑みて、本考案者は、上記の欠点を克服することができる二枚刃式鋸刃を提案する。
【先行技術文献】
【特許文献】
【０００６】
【特許文献１】特開2015-100885号公報
【考案の概要】
【考案が解決しようとする課題】
【０００７】
本考案の主な目的は、刃体を弾き出せ、刃体が容易に刃体収納槽から離脱されないように固定構造を具有する二枚刃式鋸刃を提供することにある。
【課題を解決するための手段】
【０００８】
上述した目的を達成するために、本考案に係る二枚刃式鋸刃は、鋸刃ケースと鋸刃組と弾性片と鋸刃スイッチ組とを含み、該鋸刃ケースに該鋸刃組を収納する刃体収納槽を具有し、該刃体収納槽の底部に該弾性片が装着され、該鋸刃ケースに該鋸刃スイッチ組が対称に装着され、該弾性片により該鋸刃組を該刃体収納槽から弾き出されるように押し動かし、該鋸刃スイッチ組が該鋸刃組の転動を制限するものにより、使用に便利である効果を達する。
【考案の効果】
【０００９】
上記の目的と技術特徴によって、該弾性片が第一鋸刃と第二鋸刃を該刃体収納槽から弾き出されるように押し動かし、使用者が加える作動力を減らすことができ、さらに、該第一鋸刃及び該第二鋸刃の第一凹槽及び第二凹槽が突接部で制限されるので、該第一鋸刃及び該第二鋸刃が任意に転動することをさせない。
【図面の簡単な説明】
【００１０】
【図１】本考案の斜面図である。
【図２】本考案の分解斜面図である。
【図３】本考案の少なくとも１つの棒状部材と固定部材の作動状態を示す図である。
【図４】本考案の図１におけるＶ−Ｖ線断面図である。
【図５】本考案の第一鋸刃が刃体収納槽から離脱される状態を示す図である。
【考案を実施するための形態】
【実施例】
【００１１】
図１から図５までに示すように、本考案に係る二枚刃式鋸刃は、鋸刃ケース１０と鋸刃組２０と弾性片３０と鋸刃スイッチ組４０とを含み、該鋸刃ケース１０が両側相称のケースであり、その両端にそれぞれに枢動端１１と引掛け端１２が設けられ、該枢動端１１に枢接孔１３が貫通され、該枢接孔１３が固定孔１４と隣接し、該鋸刃ケース１０にさらに刃体収納槽１５を具有し、該固定孔１４と該枢接孔１３とを連通し、該刃体収納槽１５が該枢動端１１から該引掛け端１２へ延伸し、該鋸刃組２０が第一鋸刃２１と第二鋸刃２２とを含み、該第一鋸刃２１と該第二鋸刃２２が所定の間隔で該刃体収納槽１５の内に並列され、該第一鋸刃２１及び該第二鋸刃２２の刃体にそれぞれに接着孔２３が貫通され、２つの該接着孔２３と該枢接孔１３を枢動組２４により挿着し、該第一鋸刃２１と該第二鋸刃２２が該枢動組２４を軸心として枢動され、該第一鋸刃２１及び該第二鋸刃２２の一端に、該枢動端１１の近くにそれぞれに第一凹槽２５と第二凹槽２６を具有し、該弾性片３０が該枢動端１１と該引掛け端１２との間に位置され、貼り付け端３１を有し、その一端に弾性端３２が延びられ、該貼り付け端３１が該刃体収納槽１５の底部に装着され、該第一鋸刃２１及び該第二鋸刃２２の刃体がそれぞれに該弾性端３２の両側に当接し、該弾性端３２の両側が、それぞれに該第一鋸刃２１又は該第二鋸刃２２の刃体を該刃体収納槽１５から弾き出されるように押し動かし、該鋸刃スイッチ組４０が少なくとも１つの棒状部材４１と固定部材４２とを含み、該固定部材４２が該固定孔１４の間に設けられ、該少なくとも１つの棒状部材４１がそれぞれに該固定部材４２の両端を固着し、該少なくとも１つの棒状部材４１と該固定孔１４との間にそれぞれにバネ４３が設けられ、該固定孔１４がようにそれぞれに基部開口１４１と突接部開口１４２を有し、該固定部材４２が基部４４と突接部４５を有し、該第一鋸刃２１及び該第二鋸刃２２が該刃体収納槽１５に収納されると、該基部４４が該基部開口１４１を挿設し、該突接部４５が該突接部開口１４２を挿設して該第一鋸刃２１及び該第二鋸刃２２の該第一凹槽２５に当接し、該少なくとも１つの棒状部材４１が該固定孔１４から軸方向へ変位され、該基部４４及び該突接部４５を該固定孔１４から軸方向への変位を連動し、該第一鋸刃２１又は該第二鋸刃２２の該第一凹槽２５が該突接部４５での制限から離脱させ、該第一鋸刃２１又は該第二鋸刃２２が該枢動組２４を軸心として該引掛け端１２から該枢動端１１へ枢動させ、該第一鋸刃２１又は該第二鋸刃２２の該第二凹槽２６が該突接部４５に当接する。
【００１２】
次に、本考案の各部材の特徴を詳細に説明し、図１から図５までにおいて、本考案に係る二枚刃式鋸刃において、該固定孔１４が該第一鋸刃２１及び該第二鋸刃２２の一側と隣接した周囲に、それぞれに第一突出部２７が凸設され、該枢接孔１３が該第一鋸刃２１及び該第二鋸刃２２の一側と隣接した周囲に、それぞれに第二突出部２８が凸設され、該第一鋸刃２１及び該第二鋸刃２２の一側の刃体がそれぞれに該第一突出部２７の内側及び該第二突出部２８の内側に当接し、該第一鋸刃２１及び該第二鋸刃２２が枢動されると該鋸刃ケース１０へ偏向することを制限し、該第一鋸刃２１及び該第二鋸刃２２が精確に該刃体収納槽１５を合せないことを避ける。
【００１３】
該弾性片３０の該弾性端３２が該刃体収納槽１５の底部から該第一鋸刃２１及び該第二鋸刃２２の刃背へ傾斜的に延伸されて形成され、該引掛け端１２の両側にそれぞれに引掛け孔１２１が貫通される。
【００１４】
該少なくとも１つの棒状部材４１がそれぞれに該基部４４の両端に締着され、２つの該バネ４３の両端がそれぞれに２つの該第一突出部２７及び該少なくとも１つの棒状部材４１に当接し、弾性力を提供して該少なくとも１つの棒状部材４１と、該突接部４５と、該基部４４とを復位させる。該枢動組２４が枢動ロッド２４１を有し、該枢動ロッド２４１が、該接着孔２３と該第二鋸刃２２の該枢接孔１３とを挿設し、スペーサー２４２の装着後、該第一鋸刃２１の該枢接孔１３と他の該接着孔２３とを挿設し、キャップ２４３により該枢動ロッド２４１を締着し、該枢動ロッド２４１と該枢接孔１３の周囲の該第二突出部２８との反対側との間に、スペーサー２４２が設けられ、該キャップ２４３と他の該枢接孔１３の周囲の該第二突出部２８との反対側との間に、スペーサー２４２が設けられ、図３のように示す。
【００１５】
図１と図３に示すように、該少なくとも１つの棒状部材４１が矢印方向へ変位され、該突接部４５及び該基部４４を矢印方向への変位を連動し、該第一鋸刃２１の該第一凹槽２５が該突接部４５での制限から離脱することにより、該第一鋸刃２１が該枢動組２４を軸心として該引掛け端１２から該枢動端１１に枢動される。
【００１６】
図４から図５までに示すように、本考案の弾性片３０が該第一鋸刃２１又は該第二鋸刃２２を該刃体収納槽１５から離脱されるように押し動かす作動を説明し、図５に示すように、該弾性片３０の該弾性端３２がそれぞれに弾性的に該第一鋸刃２１と該第二鋸刃２２の刃体に当接し、該第一鋸刃２１と該第二鋸刃２２が該刃体収納槽１５の内に位置され、該突接部４５が該第一鋸刃２１及び該第二鋸刃２２の該第一凹槽２５に当接する。
【００１７】
図４及び図５に示すように、該突接部４５が変位されるため、該第一鋸刃２１の該第一凹槽２５が該突接部４５での制限から離脱され、該弾性端３２が該第一鋸刃２１の刃体を押し動かし、図７に示すように、該第一鋸刃２１が該枢動組２４を軸心として該引掛け端１２から該枢動端１１へ枢動し、該第一鋸刃２１の該第二凹槽２６が該突接部４５に係合する。
【００１８】
上記により、本考案の技術特徴は、該弾性片が該第一鋸刃２１及び該第二鋸刃２２を該刃体収納槽１５から離脱されるように押し動かし、さらに、該少なくとも１つの棒状部材４１と該固定部材４２が該第一鋸刃２１及び該第二鋸刃２２の枢動を制限することにより、本考案の目的を達することができる。
【００１９】
以上の実施例による本考案の詳細な説明は本考案の範囲を制限するものではない。本技術に熟知する者が、本考案の範囲内にて行う変更や調整を行っても、本考案の重要な意義は失われず、本考案の範囲に含まれる。
【符号の説明】
【００２０】
１０……鋸刃ケース
１１……枢動端
１２……引掛け端
１２１……引掛け孔
１３……枢接孔
１４……固定孔
１４１……基部開口
１４２……突接部開口
１５……刃体収納槽
２０……鋸刃組
２１……第一鋸刃
２２……第二鋸刃
２３……接着孔
２４……枢動組
２４１……枢動ロッド
２４２……スペーサー
２４３……キャップ
２５……第一凹槽
２６……第二凹槽
２７……第一突出部
２８……第二突出部
３０……弾性片
３１……貼り付け端
３２……弾性端
４０……鋸刃スイッチ組
４１……少なくとも１つの棒状部材
４２……固定部材
４３……バネ
４４……基部
４５……突接部
【図１】
0003214060.tif 000003
【図２】
0003214060.tif 000004
【図３】
0003214060.tif 000005
【図４】
0003214060.tif 000006
【図５】
0003214060.tif 000007